(57)【要約】ロック機構（６００）では、ラッチ（６１０）が第２の回転位置にありかつタブレットユニット（１００）が閉じられていない状態からタブレットユニット（１００）が閉じられた場合に、閉じられる過程でタブレットユニット（１００）の係合突起（１１０ｂ）に当接する傾斜リブ（６１０ｇ）が、ラッチ（６１０）に設けられている。傾斜リブ（６１０ｇ）は、係合突起（１１０ｂ）が当接したときにラッチ（６１０）を第１の回転位置側へ回転させるように傾斜している。
2018155363.tif 000002
【特許請求の範囲】
【請求項１】
第１の電子部品を含み、第１の主面と、前記第１の主面に垂直な第１の側面と、前記第１の側面以外の第３の側面とを有する第１のユニットと、
第２の電子部品を含み、第２の主面と、前記第２の主面に垂直な第２の側面と、前記第２の側面以外の第４の側面とを有する第２のユニットと、
前記第１のユニットの前記第１の側面側と、前記第２のユニットの前記第２の側面側とを、前記第１のユニットと前記第２のユニットとが相対回転可能なように、直接または支持部材を介して連結するヒンジと、
前記第１のユニットが前記第２のユニットに対向する閉じられた状態で、前記第１のユニットを前記第２のユニットにロックするロック機構と、を備え、
前記ロック機構は、
前記第１のユニットの前記第３の側面に設けられた係合突起と、
前記第２のユニットの前記第４の側面に設けられ、前記第４の側面に垂直に設けられた回転軸を中心として、前記係合突起と係合しない第１の回転位置と、前記係合突起と係合可能な第２の回転位置との間で回転可能なラッチと、
前記ラッチを前記第２の回転位置に位置させるように付勢する付勢部材と、を備え、
前記ラッチは、前記ラッチが前記第２の回転位置にありかつ前記第１のユニットが閉じられていない状態から前記第１のユニットが閉じられた場合に、前記第１のユニットが閉じられる過程で前記第１のユニットの前記係合突起に当接する傾斜部を有し、
前記傾斜部は、前記係合突起が当接したときに前記ラッチを前記第１の回転位置側へ回転させるように傾斜している、
電子機器。
【請求項２】
前記ラッチは、前記第２のユニットに対向する面と、前記面から前記第２のユニット側へ突出するリブとを有し、前記傾斜部は、前記リブで構成されている、
請求項１に記載の電子機器。
【発明の詳細な説明】
【技術分野】
【０００１】
本開示は、第１のユニットを第２のユニットにロックするロック機構を有する電子機器に関する。
【背景技術】
【０００２】
特許文献１は、ヒンジを介して連結された本体ユニット及び表示ユニットを、閉じられた状態でロックするロック機構を有する情報処理装置を開示している。
【先行技術文献】
【特許文献】
【０００３】
【特許文献１】特開２００４−３２６４４０号公報
【発明の概要】
【０００４】
特許文献１の情報処理装置では、表示ユニット側の機構部品を回転可能に構成する必要がある。また、本体ユニット側に、表示ユニット側の機構の突起片に係合する係合機構を設ける必要がある。さらに、この係合機構は、複数のバネ、複数のロック爪、ロックケース等の多くの部品を有しており、構造が複雑である。
【０００５】
本開示は、部品点数が少なく簡素な構造のロック機構を有する電子機器を提供する。
【０００６】
本開示の一態様に係る電子機器は、第１の電子部品を含み、第１の主面と、第１の主面に垂直な第１の側面と、第１の側面以外の第３の側面とを有する第１のユニットと、第２の電子部品を含み、第２の主面と、第２の主面に垂直な第２の側面と、第２の側面以外の第４の側面とを有する第２のユニットと、第１のユニットの第１の側面側と、第２のユニットの第２の側面側とを、第１のユニットと第２のユニットとが相対回転可能なように、直接または支持部材を介して連結するヒンジと、第１のユニットが第２のユニットに対向する閉じられた状態で、第１のユニットを第２のユニットにロックするロック機構と、を備える。
【０００７】
ロック機構は、第１のユニットの第３の側面に設けられた係合突起と、第２のユニットの第４の側面に設けられ、第４の側面に垂直に設けられた回転軸を中心として、係合突起と係合しない第１の回転位置と、係合突起と係合可能な第２の回転位置との間で回転可能なラッチと、ラッチを第２の回転位置に位置させるように付勢する付勢部材と、を備える。
【０００８】
ラッチは、ラッチが第２の回転位置にありかつ第１のユニットが閉じられていない状態から第１のユニットが閉じられた場合に、第１のユニットが閉じられる過程で第１のユニットの係合突起に当接する傾斜部を有する。
【０００９】
傾斜部は、係合突起が当接したときにラッチを第１の回転位置側へ回転させるように傾斜している。
【００１０】
本開示の技術により、部品点数が減り、構造が簡素化される。そのため、部品自体の強度を向上させることができ、堅牢性を高めることができる。
【図面の簡単な説明】
【００１１】
【図１】図１は、実施の形態１におけるコンピュータの斜視図であって、タブレットユニットを開いた状態を示す図である。
【図２】図２は、コンピュータの斜視図であって、タブレットユニットを取り外した状態を示す図である。
【図３】図３は、コンピュータの斜視図であって、タブレットユニットを閉じた状態を示す図である。
【図４Ａ】図４Ａは、コンピュータのロック機構部分を前方斜め上方から見た状態で示した斜視図であり、ラッチが第１の回転位置にある状態を示す。
【図４Ｂ】図４Ｂは、コンピュータのロック機構部分を前方斜め上方から見た状態で示した斜視図であり、ラッチが第２の回転位置にある状態を示す。
【図５Ａ】図５Ａは、ロック機構を分解して前方斜め上方から見た状態で示した分解斜視図である。
【図５Ｂ】図５Ｂは、ロック機構を分解して後面側斜め上方から見た状態で示した分解斜視図である。
【図５Ｃ】図５Ｃは、キーボードユニットにおけるラッチ配置部分を前方斜め下方から見た状態で示した斜視図である。
【図６Ａ】図６Ａは、樹脂バネによるラッチに対する付勢を説明した図であり、ラッチが第１の回転位置にあるときを示す。
【図６Ｂ】図６Ｂは、樹脂バネによるラッチに対する付勢を説明した図であり、ラッチが第１の回転位置と第２の回転位置との中間にあるときを示す。
【図６Ｃ】図６Ｃは、樹脂バネによるラッチに対する付勢を説明した図であり、ラッチが第２の回転位置にあるときを示す。
【図７Ａ】図７Ａは、図６ＡのＡ−Ａ断面図である。
【図７Ｂ】図７Ｂは、図６ＡのＢ−Ｂ断面図である。
【図８Ａ】図８Ａは、ロック機構の作用の説明図である。
【図８Ｂ】図８Ｂは、ロック機構の作用の説明図である。
【図８Ｃ】図８Ｃは、ロック機構の作用の説明図である。
【図８Ｄ】図８Ｄは、ロック機構の作用の説明図である。
【発明を実施するための形態】
【００１２】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、発明者は、当業者が本開示を十分に理解するために添付図面および以下の説明を提供するのであって、これらによって特許請求の範囲に記載の主題を限定することを意図するものではない。
【００１４】
（実施の形態１）
以下、図面を参照して実施の形態１を説明する。
【００１５】
［１．構成］
［１−１．概要］
図１、図２、図３は、実施の形態１におけるコンピュータの斜視図である。図１は、タブレットユニット１００がキーボードユニット２００に装着された状態を示す。図２は、タブレットユニット１００がキーボードユニット２００から取り外された状態を示す。図３は、タブレットユニット１００を閉じた状態を示す。なお、図面において適宜、説明及び理解の容易のため、方向表示を付している。この方向表示は、コンピュータ１が一般的な利用態様で利用されるときの利用者から見たときの方向を基準として付しているが、この方向でコンピュータ１が使用や配置されるべきことを意味するものではない。図１、図２において、左右方向は、タブレットユニット１００及びキーボードユニット２００の装置幅方向に対応する。また、上下方向は、タブレットユニット１００の装置奥行き方向にほぼ対応するとともに、キーボードユニット２００の装置厚み方向に対応する。また、前後方向は、タブレットユニット１００の装置厚み方向にほぼ対応するとともに、キーボードユニット２００の装置奥行き方向に対応する。
【００１６】
コンピュータ１は、タブレットユニット１００と、キーボードユニット２００とを有する。コンピュータ１は、電子機器の一例である。タブレットユニット１００は、第１のユニットの一例である。キーボードユニット２００は、第２のユニットの一例である。
【００１７】
タブレットユニット１００は、前面１００ａ（第１の主面）に、表示部１０１を有している。表示部１０１は、例えば液晶表示パネルで構成される。また、表示部１０１は、ユーザのタッチ操作を受付可能なタッチパネルを有する。タブレットユニット１００の内部には、中央演算処理装置（ＣＰＵ）、揮発性記憶装置（ＲＡＭ）、不揮発性記憶装置（ＲＯＭ、ＳＳＤ等）、通信モジュール等の種々の電子部品が収容されている。これらの電子部品は、第１の電子部品の一例である。また、タブレットユニット１００の内部には、これらの電子部品に電力を供給する着脱可能なバッテリが収容されている。タブレットユニット１００の後面１００ｂには、開閉可能なカバー１０５が備えられており（図３参照）、開くことでバッテリを着脱できる。不揮発性記憶装置（ＲＯＭ、ＳＳＤ等）には、オペレーティングシステム（ＯＳ）、種々のアプリケーションプログラム、種々のデータ等が格納されている。中央演算処理装置（ＣＰＵ）は、ＯＳ、アプリケーションプログラム、種々のデータを読み込んで演算処理を実行することにより、コンピュータ１における種々の機能を実現する。
【００１８】
タブレットユニット１００の筐体は、例えばマグネシウム合金などの金属や樹脂により形成されている。
【００１９】
キーボードユニット２００は、ホルダ４００と、ヒンジ５００とを備える。
【００２０】
キーボードユニット２００は、上面２００ａ（第２の主面）に、キーボード２０１、タッチパッド２０２、操作ボタン２０３等を有する。また、キーボードユニット２００は、タブレットユニット１００との間でデータを授受するためのインタフェースや、外部機器を接続するための外部機器インタフェースを有する。キーボードユニット２００の内部には、キーボードコントローラや、タッチパッドコントローラ等、種々の電子部品が収容されている。これらの電子部品は、第２の電子部品の一例である。
【００２１】
キーボードユニット２００の筐体は、例えばマグネシウム合金などの金属や樹脂により形成されている。
【００２２】
図２に示すように、ホルダ４００は、キーボードユニット２００の後側の側面２００ｒ（以下適宜「後側面２００ｒ」という）側にヒンジ５００を介して連結されている。ホルダ４００は、図１に示すように、タブレットユニット１００を装着できる。また、操作レバー４２０を操作することで、図２に示すように、タブレットユニット１００を取り外すことができる。
【００２３】
ヒンジ５００は、キーボードユニット２００の後側面２００ｒ側とホルダ４００の下側の側面４００ｄ（以下適宜「下側面４００ｄ」という）側とを、回転軸Ａｈを中心として相対回転可能なように連結する。回転軸Ａｈは、キーボードユニット２００とホルダ４００とがコンピュータ１の装置幅方向（図１の左右方向）に平行である。なお、これは、ヒンジ５００が、キーボードユニット２００の後側面２００ｒ側とホルダ４００に装着されたタブレットユニット１００の下側の側面１００ｄ（以下適宜「下側面１００ｄ」という）側とを、キーボードユニット２００とタブレットユニット１００とが回転軸Ａｈを中心として相対回転可能なように連結しているということでもある。例えば、ヒンジ５００は、図１のようにタブレットユニット１００がキーボードユニット２００に対して１００度程度の角度をなして開いた状態とすることができる。また、ヒンジ５００は、図３に示すようにタブレットユニット１００がキーボードユニット２００に対して閉じた状態とすることができる。閉じた状態とは、タブレットユニット１００の前面１００ａとキーボードユニット２００の上面２００ａとが近接して対向し、ほぼ平行となる状態のことである。
【００２４】
ホルダ４００には、タブレットユニット１００が装着された状態において、タブレットユニット１００のコネクタ（図示せず）と接続されるコネクタ（図示せず）が設けられている。これらのコネクタを介して、タブレットユニット１００とキーボードユニット２００との間で、種々の信号や電力の授受を行うことができる。例えば、キーボードユニット２００のキーボード２０１、タッチパッド２０２、複数の操作ボタン２０３等から出力される信号をタブレットユニット１００に出力することができる。タブレットユニット１００は、これらの信号を受信し、受信した信号に基づく制御が可能である。したがって、キーボードユニット２００にタブレットユニット１００を装着することで、コンピュータ１をノートブック型コンピュータとして利用することができる。また、タブレットユニット１００単体で、タブレット型コンピュータとして利用することができる。
【００２５】
［１−２．ロック機構］
図３に示すように、コンピュータ１には、タブレットユニット１００がキーボードユニット２００に対向して閉じられた状態でタブレットユニット１００をキーボードユニット２００にロックするロック機構６００が設けられている。以下、ロック機構６００について説明する。
【００２６】
図４Ａおよび図４Ｂは、コンピュータ１のロック機構部分を前方斜め上方から見た状態で示した斜視図である。
【００２７】
ロック機構６００は、ラッチ６１０と、係合突起１１０ｂとを有する。キーボードユニット２００は、その筐体２１０の前側の側面２００ｆ（以下適宜「前側面２００ｆ」という）を有する。ラッチ６１０は、前側面２００ｆに垂直な回転軸Ａｒを中心として回転可能に前側面２００ｆに設けられている。タブレットユニット１００は、その筐体１１０の上側の側面１００ｕ（以下適宜「上側面１００ｕ」という）に段下げ部１１０ａを有する。係合突起１１０ｂは、上側面１００ｕの段下げ部１１０ａに設けられている。係合突起１１０ｂは、左右方向（装置幅方向）に延びるリブ状の形状を有する。ラッチ６１０は、図４Ａに示す、係合突起１１０ｂに係合しない第１の回転位置と、図４Ｂに示す、係合突起１１０ｂに係合する第２の回転位置との間で回転可能である。ラッチ６１０は、第１の回転位置にあるとき、前側面２００ｆの長手方向（左右方向）に平行となり、前側面２００ｆの上下の範囲内に収まる。
【００２８】
なお、コンピュータ１では、タブレットユニット１００を、図１に示すようにその前面１００ａを前側にした状態でホルダ４００に装着できるだけでなく、その後面１００ｂを前側にした状態（裏返し状態）でホルダ４００に装着することが可能である。そのため、コンピュータ１では、裏返し状態でロック可能なように、係合突起１１０ｂは２ケ所に設けられている。
【００２９】
図４Ａは、タブレットユニット１００が閉じられ、かつラッチ６１０が第１の回転位置にある状態を示す。このときに、ラッチ６１０を第２の回転位置に回転させることで、ラッチ６１０と係合突起１１０ｂとを係合させて、タブレットユニット１００をキーボードユニット２００にロックすることができる。
【００３０】
ここで、本実施形態のコンピュータ１は、タブレットユニット１００が開き、かつラッチ６１０が第２の回転位置にある状態のときに、タブレットユニット１００が閉じられていった場合でも、ラッチ６１０の破損を防止する構成を有する。具体的には、タブレットユニット１００が閉じられる過程で係合突起１１０ｂがラッチ６１０の傾斜リブ６１０ｇ（図５Ｂ参照）に当接し、ラッチ６１０を第１の回転位置側へ回転させる。以下その構成を詳しく説明する。
【００３１】
図５Ａは、ロック機構６００を分解して前方斜め上方から見た状態で示した分解斜視図である。図５Ｂは、ロック機構６００を分解して後面側斜め上方から見た状態で示した分解斜視図である。
【００３２】
ロック機構６００は、前述のラッチ６１０に加え、さらに樹脂バネ６２０と、樹脂リング６３０と、ネジ６４０とを有する。
【００３３】
ラッチ６１０は、マグネシウム合金製であり、本体部６１０ａと、操作用凸部６１０ｓと、円筒部６１０ｂと、環状底面部６１０ｃと、を有する。本体部６１０ａは、長方形板状である。操作用凸部６１０ｓは、本体部６１０ａの前面に設けられている。円筒部６１０ｂは、本体部６１０ａの基端側を貫通させて設けられている。環状底面部６１０ｃは、円筒部６１０ｂの先端側に設けられ、貫通孔６１０ｉを有する。環状底面部６１０ｃの貫通孔６１０ｉの周縁には一対の切欠６１０ｄが設けられている。また、環状底面部６１０ｃの外周部には複数の凹部６１０ｅが設けられている。本体部６１０ａの後面には、補強用の複数のリブが設けられており、そのうちの自由端６１０ｆ側のリブ６１０ｇは、ラッチ６１０の長手方向に対して傾斜している（以下「傾斜リブ６１０ｇ」という）。また、ラッチ６１０の長手方向の中間付近の後面には、長手方向に直交する方向に延びる係合凹部６１０ｈが設けられている。
【００３４】
樹脂バネ６２０は、樹脂製で弾性を有しており、円筒部６２０ａと、バネ部６２０ｂと、第１陥凹部６２０ｃと、第２陥凹部６２０ｄと、を有する。バネ部６２０ｂは、円筒部６２０ａの後端側において半径方向外側に突出する。第１陥凹部６２０ｃ及び第２陥凹部６２０ｄは、バネ部６２０ｂの周方向の両端の各々の近傍で内周側に陥凹する。また、円筒部６２０ａの後端には、半径方向内方に突出する複数の突起６２０ｅが設けられている。
【００３５】
樹脂リング６３０は、樹脂製であり、円筒部６３０ａと、大径リング部６３０ｂと、突起６３０ｃと、を有する。大径リング部６３０ｂは、円筒部６３０ａの前端に設けられ、円筒部６３０ａよりも大径である。突起６３０ｃは、円筒部６３０ａの後端から後方に突出する。
【００３６】
図５Ｃは、キーボードユニット２００におけるラッチ配置部分を前方斜め下方から見た状態で示した斜視図である。図５Ａ、図５Ｃに示すように、キーボードユニット２００（筐体２１０）の前側面２００ｆには、ラッチ取付孔２１０ａが設けられている。ラッチ取付孔２１０ａの後方には、ラッチ取付台２１０ｂが設けられている。ラッチ取付台２１０ｂの前面には、ネジ６４０が螺合されるネジ孔２１０ｃと、ネジ孔２１０ｃの側方に設けられた凹部２１０ｄとが設けられている。ラッチ取付孔２１０ａの内周部の上部には、半径方向内方に突出する位置決め突起２１０ｅが設けられている。
【００３７】
図６Ａ、図６Ｂおよび図６Ｃは、ロック機構部分の正面図である。図６Ａは、ラッチ６１０が第１の回転位置にあるときを示し、図６Ｂは、ラッチ６１０が第１の回転位置と第２の回転位置との中間にあるときを示し、図６Ｃは、ラッチ６１０が第２の回転位置にあるときを示している。なお、ラッチ６１０については透明化して二点鎖線で示している。図７Ａは図６ＡのＡ−Ａ断面を示し、図７Ｂは図６ＡのＢ−Ｂ断面を示す。
【００３８】
図６Ａ、図７Ａおよび図７Ｂに示すように、ラッチ６１０の円筒部６１０ｂがキーボードユニット２００の筐体２１０のラッチ取付孔２１０ａに嵌められる。環状底面部６１０ｃの後面が筐体２１０のラッチ取付台２１０ｂの前面に摺動可能に当接する。環状底面部６１０ｃの貫通孔６１０ｉには、樹脂リング６３０の円筒部６３０ａが嵌まる。円筒部６３０ａの後端は、ラッチ取付台２１０ｂの前面に当接する。また、樹脂リング６３０の後端の突起６３０ｃがラッチ取付台２１０ｂの凹部２１０ｄに嵌まる。そのため、樹脂リング６３０は、ラッチ取付台２１０ｂに対して相対回転不能となる。樹脂リング６３０の前端の大径リング部６３０ｂは、環状底面部６１０ｃの前面側に位置する。ネジ６４０は、樹脂リング６３０を通してラッチ取付台２１０ｂのネジ孔２１０ｃに螺合される。ネジ６４０が一定のトルクで螺合された状態において、ネジ６４０の座面が大径リング部６３０ｂに当接する。樹脂リング６３０は、ラッチ６１０の素材に対して滑りやすい素材で形成されている。そのため、ラッチ６１０は、回転時、樹脂リング６３０に対して滑りながら回転することとなる。また、このとき、樹脂リング６３０の存在により、ラッチ６１０の回転力はネジ６４０に伝達されない。そのため、ラッチ６１０の回転によるネジ６４０の緩みを生じさせないようにできる。
【００３９】
樹脂バネ６２０は、ラッチ６１０の円筒部６１０ｂと同一軸心上に配置され、ラッチ６１０の後端側からその円筒部６１０ｂに嵌められる。このとき、樹脂バネ６２０の突起６２０ｅがラッチ６１０の凹部６１０ｅに嵌まる（図５Ｂ参照）。そのため、樹脂バネ６２０は、ラッチ６１０に対して相対回転不能となり、ラッチ６１０の回転に連動して回転する。
【００４０】
ラッチ６１０が図６Ａ、図７Ａおよび図７Ｂに示すように第１の回転位置にあるとき、樹脂バネ６２０の第１陥凹部６２０ｃに筐体２１０の位置決め突起２１０ｅが嵌まる。これにより、ラッチ６１０は、樹脂バネ６２０の付勢力により、一定以上の回転力が加わらない限り、回転しない。
【００４１】
ラッチ６１０が第１の回転位置にあるときに、右回りの一定以上の回転力を加えると、樹脂バネ６２０のバネ部６２０ｂが変形することで、図６Ｂのように位置決め突起２１０ｅが第１陥凹部６２０ｃを脱出し、ラッチ６１０を右回りに回転させることができる。図６Ｂは、ラッチ６１０が４５度程度右回りに回転した状態を示しており、この状態ではバネ部６２０ｂの周方向中央付近が半径方向内方に撓む。そのため、バネ部６２０ｂから位置決め突起２１０ｅに押し付け力が加わり、ラッチ６１０はこの回転位置で保持される。
【００４２】
ラッチ６１０が図６Ｃに示すように第２の回転位置にあるとき、樹脂バネ６２０の第２陥凹部６２０ｄに筐体２１０の位置決め突起２１０ｅが嵌まる。これにより、ラッチ６１０は、樹脂バネ６２０の付勢力により、一定以上の回転力が加わらない限り、回転しない。
【００４３】
図８Ａ、図８Ｂ、図８Ｃおよび図８Ｄは、ロック機構６００の作用の説明図である。図８Ａ〜図８Ｄでは、作用を理解しやすいようにラッチ６１０の一部を破断しその部分の輪郭を二点鎖線で示している。図８Ａは、タブレットユニット１００が閉じられ、かつラッチ６１０が第２の回転位置にある状態を示している。このとき、ラッチ６１０の係合凹部６１０ｈにタブレットユニット１００の係合突起１１０ｂを嵌めることができる。また、このとき、樹脂バネ６２０が、ラッチ６１０を第２の回転位置に位置させるように付勢している。これにより、タブレットユニット１００を開くことができなくなる。また、不意に、タブレットユニット１００がキーボードユニット２００に対して開いてしまうことが規制される。
【００４４】
図８Ａの状態のときに、ラッチ６１０に左回り方向の一定以上の力の回転力を加えることで、ラッチ６１０を左回りに回転させて、第１の回転位置に位置させることができる。
【００４５】
図８Ｂは、タブレットユニット１００が開き、かつラッチ６１０が第２の回転位置にある状態を示している。このときに、例えばユーザの不注意により、タブレットユニット１００が閉じられていくと、閉じられる過程で係合突起１１０ｂがラッチ６１０の傾斜リブ６１０ｇに当接する。このとき、係合突起１１０ｂからラッチ６１０の傾斜リブ６１０ｇに下向きの力が作用する。当接した部分が傾斜していることにより、この下向きの力は、ラッチ６１０を第１の回転位置側へ回転させる力として変換される。そのため、タブレットユニット１００が閉じられ続けると、ラッチ６１０が図８Ｃ、図８Ｄに示すように回転する。図８Ｄは、タブレットユニット１００が閉じられた状態にあるときを示している。このように、本実施形態のロック機構６００では、タブレットユニット１００が開き、かつラッチ６１０が第２の回転位置にあるときに、タブレットユニット１００が閉じられた場合でも、ラッチ６１０の破損を防止できる。
【００４６】
一方、仮にラッチ６１０に傾斜リブ６１０ｇが設けられていないものとすると、図８Ｂのようにタブレットユニット１００の係合突起１１０ｂがラッチ６１０の上辺（二点鎖線の上辺）に当接したときに、係合突起１１０ｂからラッチ６１０に下向きの力が加わり、その力はほぼそのまま、回転軸として機能するネジ６４０に、ネジ６４０を下向きに移動させようとする力として伝達される。しかし、ネジ６４０の一端は、筐体２１０に螺合されているため、ネジ６４０を折り曲げる力となり、ロック機構６００が破損する虞がある。しかし、本実施形態では、ラッチ６１０に傾斜リブ６１０ｇを設けたことで、上記のような破損を防止できる。
【００４７】
また、前述した先行文献では、ロック機構６００の部品点数が多く、構造が複雑であったが、本実施形態のロック機構６００では、筐体以外に、ロック用として最低限必要な部材は、ラッチ６１０と、樹脂バネ６２０と、ネジ６４０だけでよい。樹脂リング６３０は、ラッチ６１０の回転性の向上とネジ６４０の緩みの抑制を目的とするものである。そのため、部品点数が少なく簡素な構造のロック機構６００を実現できる。また、部品自体の強度を向上させることができ、堅牢性を高めることができる。
【００４８】
［２．効果等］
本実施の形態のコンピュータ１（電子機器の一例）は、タブレットユニット１００（第１のユニットの一例）と、キーボードユニット２００（第２のユニットの一例）と、ヒンジ５００と、ロック機構６００と、を備える。
【００４９】
タブレットユニット１００は、第１の電子部品を含み、前面１００ａ（第１の主面）と、前面１００ａ（第１の主面）に垂直な下側面１００ｄ（第１の側面）と、下側面１００ｄ（第１の側面）以外の上側面１００ｕ（第３の側面）とを有する。
【００５０】
キーボードユニット２００は、第２の電子部品を含み、上面２００ａ（第２の主面）と、上面２００ａに垂直な後側面２００ｒ（第２の側面）と、後側面２００ｒ（第２の側面）以外の前側面２００ｆ（第４の側面）と有する。
【００５１】
ヒンジ５００は、タブレットユニット１００の下側面１００ｄ（第１の側面）側とキーボードユニット２００の後側面２００ｒ（第２の側面）側とを、タブレットユニット１００とキーボードユニット２００とが相対回転可能なように、ホルダ４００（支持部材）を介して連結する。
【００５２】
ロック機構６００は、タブレットユニット１００がキーボードユニット２００に対向する閉じられた状態で、タブレットユニット１００をキーボードユニット２００にロックする。
【００５３】
ロック機構６００は、係合突起１１０ｂと、ラッチ６１０と、樹脂バネ６２０（付勢部材）と、を備える。
【００５４】
係合突起１１０ｂは、タブレットユニット１００の上側面１００ｕ（第３の側面）に設けられる。
【００５５】
ラッチ６１０は、キーボードユニット２００の前側面２００ｆ（第４の側面）に設けられる。ラッチ６１０は、前側面２００ｆに垂直に設けられた回転軸Ａｒを中心として、係合突起１１０ｂと係合しない第１の回転位置と、係合突起１１０ｂと係合可能な第２の回転位置との間で回転可能である。
【００５６】
樹脂バネ６２０は、ラッチ６１０を第２の回転位置に位置させるように付勢する。
【００５７】
ラッチ６１０は、ラッチ６１０が第２の回転位置にありかつタブレットユニット１００が閉じられていない状態からタブレットユニット１００が閉じられた場合に、タブレットユニット１００が閉じられる過程でタブレットユニット１００の係合突起１１０ｂに当接する傾斜リブ６１０ｇ（傾斜部）を有する。
【００５８】
傾斜リブ６１０ｇ（傾斜部）は、係合突起１１０ｂが当接したときにラッチ６１０を第１の回転位置側へ回転させるように傾斜している。
【００５９】
これにより、部品点数が減り、構造が簡素化される。そのため、部品自体の強度を向上させることができ、堅牢性を高めることができる。
【００６０】
本実施の形態において、ラッチ６１０は、キーボードユニット２００に対向する面と、この面からキーボードユニット２００側へ突出するリブとを有する。傾斜リブ６１０ｇ（傾斜部）は、このリブで構成されている。
【００６１】
これにより、タブレットユニット１００の係合突起１１０ｂがラッチ６１０の傾斜リブ６１０ｇに当接した際に、傾斜リブ６１０ｇにすり傷が生じても、外部側からは視認されにくい。そのため、当接する構成を採用しつつ、タブレットユニット１００の美観を保持できる。また、ラッチ６１０を補強するリブを利用して傾斜部を構成できる。
【００６２】
（他の実施形態）
以上のように、本開示の技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態を例示する。
（１）前記実施の形態では、本開示の電子機器を、タブレットユニット１００（第１のユニットの一例）とキーボードユニット２００（第２のユニットの一例）とが着脱可能に構成されたデタッチャブル型のコンピュータに適用した場合を例示した。しかし、本開示の、電子機器は、第１のユニットと第２のユニットとがヒンジにより相対回転可能に直接連結され、着脱可能でない一般的なノートブック型コンピュータにも適用可能である。
（２）前記実施の形態では、傾斜リブ６１０ｇはほぼ直線的な傾斜を有する。しかし、本開示において、傾斜部は、例えば、緩やかに湾曲しつつ全体的には傾斜した形状を有していてもよい。
（３）前記実施の形態では、ロック機構６００が、タブレットユニット１００（第１のユニットの一例）とキーボードユニット２００（第２のユニットの一例）の上側面１００ｕ及び前側面２００ｆに設けられている場合を例示した。しかし、本開示のロック機構は、左側面や右側面に設けられてもよい。あるいは、後側面以外の側面のうちいずれか２個以上の側面に設けられてもよい。
（４）前記実施の形態では、ロック機構６００が、樹脂リング６３０を有している。しかし、本開示において、樹脂リングは必須ではない。
（５）前記実施の形態では、傾斜リブ６１０ｇはラッチ６１０の後面側に設けられたリブにより構成されている。しかし、本開示において、傾斜部は、ラッチの自由端側の端部自体を傾斜させた形状とすることで構成されてもよい。
【００６３】
以上のように、本開示における技術の例示として、実施の形態を説明した。そのために、添付図面および詳細な説明を提供した。したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。また、上述の実施の形態は、本開示における技術を例示するためのものであるから、特許請求の範囲またはその均等の範囲において種々の変更、置き換え、付加、省略などを行うことができる。
【産業上の利用可能性】
【００６４】
本開示は、第１のユニットを第２のユニットにロックするロック機構を有する電子機器において広く利用可能である。
【符号の説明】
【００６５】
１  コンピュータ
１００  タブレットユニット
１００ａ  前面
１００ｂ  後面
１００ｕ  上側面
１００ｄ  下側面
１０１  表示部
１０５  カバー
１１０  筐体
１１０ａ  段下げ部
１１０ｂ  係合突起
２００  キーボードユニット
２００ａ  上面
２００ｆ  前側面
２００ｒ  後側面
２０１  キーボード
２０２  タッチパッド
２０３  操作ボタン
２１０  筐体
２１０ａ  ラッチ取付孔
２１０ｂ  ラッチ取付台
２１０ｃ  ネジ孔
２１０ｄ  凹部
２１０ｅ  位置決め突起
４００  ホルダ
４００ｄ  下側面
４２０  操作レバー
５００  ヒンジ
６００  ロック機構
６１０  ラッチ
６１０ａ  本体部
６１０ｂ  円筒部
６１０ｃ  環状底面部
６１０ｄ  切欠
６１０ｅ  凹部
６１０ｆ  自由端
６１０ｇ  傾斜リブ
６１０ｈ  係合凹部
６１０ｉ  貫通孔
６１０ｓ  操作用凸部
６２０  樹脂バネ
６２０ａ  円筒部
６２０ｂ  バネ部
６２０ｃ  第１陥凹部
６２０ｄ  第２陥凹部
６２０ｅ  突起
６３０  樹脂リング
６３０ａ  円筒部
６３０ｂ  大径リング部
６３０ｃ  突起
６４０  ネジ
Ａｒ  ラッチの回転軸
Ａｈ  ヒンジの回転軸
【図１】
2018155363.tif 000003
【図２】
2018155363.tif 000004
【図３】
2018155363.tif 000005
【図４Ａ】
2018155363.tif 000006
【図４Ｂ】
2018155363.tif 000007
【図５Ａ】
2018155363.tif 000008
【図５Ｂ】
2018155363.tif 000009
【図５Ｃ】
2018155363.tif 000010
【図６Ａ】
2018155363.tif 000011
【図６Ｂ】
2018155363.tif 000012
【図６Ｃ】
2018155363.tif 000013
【図７Ａ】
2018155363.tif 000014
【図７Ｂ】
2018155363.tif 000015
【図８Ａ】
2018155363.tif 000016
【図８Ｂ】
2018155363.tif 000017
【図８Ｃ】
2018155363.tif 000018
【図８Ｄ】
2018155363.tif 000019
【国際調査報告】
2018155363.tif 000020
2018155363.tif 000021
2018155363.tif 000022
2018155363.tif 000023